(57)【要約】  本発明は、ラインに大型魚による大きな力がかかっても破損せず、ラインの引っかかりを無くすることができ、別の部材がなくてもラインに保持させることができる水中ライトを提供する。透光性樹脂材料で形成され本体（２）と、本体（２）内に埋設され、発光ダイオード（３ｅ、３ｆ）および電池（３ａ）を含む回路装置（３）と、本体（２）の表面に露出して離隔配置された一対の電極であって、前記一対の電極間に水が介在することで回路装置（３）に電池（３ａ）の電流が流れるように配設された前記一対の電極と、本体（２）内を貫通する第１ライン孔（６）と、第１ライン孔（６）と離間して本体（２）内を貫通する第２ライン孔（７）と、を備え、第１ライン孔（６）および第２ライン孔（７）は、各々の軸線が鈍角で交差するように形成されている。
2020100732.tif 000002
【特許請求の範囲】
【請求項１】
透光性樹脂材料で形成された本体と、  前記本体内に埋設され、発光ダイオード及び電池を含む回路装置と、  前記本体の表面に露出して離隔配置された一対の電極であって、前記一対の電極間に水が介在することで前記回路装置に前記電池の電流が流れて前記発光ダイオードが発光するように構成された前記一対の電極と、  前記本体内を貫通する第１ライン孔と、  前記第１ライン孔と離間して前記本体内を貫通する第２ライン孔と、を備え、  前記第１ライン孔および前記第２ライン孔は、各々の軸線が鈍角で交差するように形成されていることを特徴とする記載の水中ライト。
【請求項２】
前記本体が、円柱状の胴部と、前記胴部の一端に一体的に設けられて前記胴部の直径より大きい外径を有する第１球状部とを備え、  前記第１ライン孔が前記第１球状部を貫通するように形成されている、請求項１に記載の水中ライト。
【請求項３】
前記本体が、前記胴部の他端に一体的に設けられて前記胴部の直径より大きい外径を有する第２球状部を更に備え、  前記第２ライン孔が前記第２球状部を貫通するように形成されている、請求項２に記載の水中ライト。
【請求項４】
前記本体が棒状であって、前記第１ライン孔上に沿って延びる流線形の第１膨出部が前記本体の一端部に一体的に形成されている、請求項１に記載の水中ライト。
【請求項５】
前記第２ライン孔上に沿って延びる流線形の第２膨出部が前記本体の他端部に一体的に形成されている、請求項４に記載の水中ライト。
【請求項６】
前記回路装置がバイブレータを更に含み、前記回路装置に電流が流れたときに前記バイブレータが振動するように構成されている、請求項１に記載の水中ライト。
【請求項７】
前記回路装置が音波発信器を更に含み、前記回路装置に電流が流れたときに前記音波発信器が発信するように構成されている、請求項１に記載の水中ライト。
【請求項８】
前記第１ライン孔と前記第２ライン孔との間にラインを収容するためのライン溝が形成されている、請求項１に記載の水中ライト。
【請求項９】
前記電極が前記本体の長手方向端面から離れた位置に設けられ、前記電極が前記本体の表面に形成された凹部内に設けられ、前記凹部は、前記電極位置から前記本体の端面に向けて延びる溝状に形成されている、請求項１に記載の水中ライト。
【請求項１０】
前記第１ライン孔および前記第２ライン孔の各々の軸線が交差する角度が１２０°以上１６０°以下である、請求項１に記載の水中ライト。
【請求項１１】
前記第１ライン孔と前記第２ライン孔の対が２対形成されている、請求項１に記載の水中ライト。
【発明の詳細な説明】
【技術分野】
【０００１】  本発明は、延縄、立縄、曳縄等の漁労用或いは釣り用の仕掛けに取り付けられ、釣針に付けた疑似餌等の餌を照射するために用いられる水中ライトに係り、特に深海のマグロ等の大型の魚を釣るための仕掛に取り付けるのに適した水中ライトに関する。
【背景技術】
【０００２】  従来、この種の水中ライトは、仕掛けに用いられる縄、テグス、釣り糸等のライン（以下、単にラインと言う。）を結ぶための環を両端部に設けたもの（特許文献１等）や、ラインを通すための筒を本体の側面に設けたものが知られている。
【先行技術文献】
【特許文献】
【０００３】
【特許文献１】実公昭５５−５３４６号公報
【発明の概要】
【発明が解決しようとする課題】
【０００４】  しかしながら、クロマグロのように１００キログラムを超えるような大型魚を釣る仕掛けでは、水中ライト本体の両端に設けられた環にラインを結び付けると、魚の力で環が水中ライト本体から外れたり破損したりして、釣針の付いたライン（水中ライトの下端の輪に結び付けられていたライン）が水中ライトから外れ、獲物を取り逃がすという問題があった。【０００５】  また、水中ライト本体の側面に設けられた筒は、仕掛けを船上から投下する際に筒の部分にラインが引っ掛かり、投下する仕掛けをもつれさせて仕掛けが正常な状態で海中に投下できず、その結果、所望の水深に仕掛けが到達しないため、魚が針にかからないという問題があり、また、仕掛けを捲き上げる際にも筒の部分にラインが引っ掛かっていると、引っかかったラインに魚の力がかかって筒の部分が破損し、また、破損した筒の部分でラインが切れて釣針に掛っていた獲物を取り逃がすといった問題もあった。【０００６】  また、環の場合はラインを結び付ける必要があり、筒の場合は、ラインを真っ直ぐ通すようになっているため、水中ライトを固定するための他の部材が必要であった。【０００７】  そこで、本発明は、上記問題を解決するため、ラインに大型魚による大きな力がかかっても破損せず、ラインの引っかかりを無くすることができ、別の部材がなくてもラインに保持させることができる水中ライトを提供することを主たる目的とする。
【課題を解決するための手段】
【０００８】  上記目的を達成するため、本発明に係る水中ライトの第１の態様は、透光性樹脂材料で形成された本体と、前記本体内に埋設され、発光ダイオードおよび電池を含む回路装置と、前記本体の表面に露出して離隔配置された一対の電極であって、前記一対の電極間に水が介在することで前記回路装置に前記電池の電流が流れて前記発光ダイオードが発光するように構成された前記一対の電極と、前記本体内を貫通する第１ライン孔と、前記第１ライン孔と離間して前記本体内を貫通する第２ライン孔と、を備え、前記第１ライン孔および前記第２ライン孔は、各々の軸線が鈍角で交差するように形成されている。【０００９】  本発明に係る水中ライトの第２の態様は、上記第１の態様において、前記本体が、円柱状の胴部と、前記胴部の一端に一体的に設けられて前記胴部の直径より大きい外径を有する第１球状部とを備え、前記第１ライン孔が前記第１球状部を貫通するように形成されている。【００１０】  本発明に係る水中ライトの第３の態様は、上記第２の態様において、前記本体が、前記胴部の他端に一体的に設けられて前記胴部の直径より大きい外径を有する第２球状部を更に備え、前記第２ライン孔が前記第２球状部を貫通するように形成されている。【００１１】  本発明に係る水中ライトの第４の態様は、上記第１の態様において、前記本体が棒状であって、前記第１ライン孔上に沿って延びる流線形の第１膨出部が前記本体の一端部に一体的に形成されている。【００１２】  本発明に係る水中ライトの第５の態様は、上記第４の態様において、前記第２ライン孔上に沿って延びる流線形の第２膨出部が前記本体の他端部に一体的に形成されている。【００１３】  本発明に係る水中ライトの第６の態様は、上記第１の態様において、前記回路装置がバイブレータを更に含み、前記回路装置に電流が流れたときに前記バイブレータが振動するように構成されている。【００１４】  本発明に係る水中ライトの第７の態様は、上記第１の態様において、前記回路装置が音波発信器を更に含み、前記回路装置に電流が流れたときに前記音波発信器が発信するように構成されている。【００１５】  本発明に係る水中ライトの第８の態様は、上記第１の態様において、前記第２ライン孔との間にラインを収容するためのライン溝が形成されている。【００１６】  本発明に係る水中ライトの第９の態様は、上記第１の態様において、前記電極が前記本体の長手方向端面から離れた位置に設けられ、前記電極が前記本体の表面に形成された凹部内に設けられ、前記凹部は、前記電極位置から前記本体の端面に向けて延びる溝状に形成されている。【００１７】  本発明に係る水中ライトの第１０の態様は、上記第１の態様において、前記第１ライン孔および前記第２ライン孔の各々の軸線が交差する角度が１２０°以上１６０°以下である。【００１８】  本他発明に係る水中ライトの第１１の実施形態は、上記第１の態様において、前記第１ライン孔と前記第２ライン孔の対が２対形成されている。
【発明の効果】
【００１９】  本発明に係る水中ライトによれば、本体を貫通する第１ライン孔および第１来位孔と離間して軸線が鈍角で交差する第２ライン孔にラインを通すので、上記従来の環のように本体から外れて獲物を取り逃がすことがなく、また、上記従来の筒のような突起物が無いためラインが引っ掛かることによる上記不具合も防止でき、更に、ラインにかかるテンションによって他の固定具を使用せずに水中ライトをラインに保持させることができる。
【図面の簡単な説明】
【００２０】
【図１】本発明に係る水中ライトの第１実施形態を示す正面図である。
【図２】図１の水中ライトの平面図である。
【図３】図１の水中ライトの底面図である。
【図４】図１の水中ライトの右側面図である。
【図５】図１の水中ライトの背面図である。
【図６】図１のＡ−Ａ線に沿う中央縦断側面図である。
【図７】図２のＢ−Ｂ線に沿う中央縦断正面図とその一部拡大図である。
【図８】図６の中央縦断側面図に仮想線でラインを挿通した状態を示す中央縦断側面図である。
【図９】本発明に係る水中ライトの第２実施形態を示す中央縦断側面図である。
【図１０】図９の水中ライトの平面図である。
【図１１】本発明に係る水中ライトの第３実施形態を示す中央縦断側面図である。
【図１２】図１１の水中ライトの平面図である。
【図１３】図１１の水中ライトの正面図である。
【図１４】本発明に係る水中ライトの第４実施形態を示す正面図である。
【図１５】図１４の水中ライトの平面図である。
【図１６】図１４の水中ライトの右側面図である。
【図１７】図１４の水中ライトの底面図である。
【図１８】図１４の水中ライトの斜視図である。
【図１９】図１４の水中ライトの斜視図である。
【図２０】図１４の水中ライトのＣ−Ｃ線に沿う中央縦断側面図である。
【図２１】図１６の水中ライトのＤ−Ｄ線に沿う中央縦断正面図であり、疑似餌を仮想的に被せた状態を示す。
【図２２】本発明に係る水中ライトの第５実施形態を示す正面図である。
【図２３】図２２の水中ライトのＥ−Ｅ線に沿う中央縦断側面図である。
【発明を実施するための形態】
【００２１】  本発明に係る水中ライトの実施形態について以下に図１〜図２３を参照して説明する。全図および全実施形態を通じて同一又は類似の構成部分については同符号を付した。
【００２２】  先ず、本発明に係る水中ライトの第１実施形態について、図１〜図８を参照して説明する。図１は、本発明に係る水中ライトの第１実施形態を示す正面図、図２は平面図、図３は底面図、図４は右側面図、図５は背面図、図６は図１のＡ−Ａ線断面図、図７は図２のＢ−Ｂ線断面図、図８は図６の断面図に仮想線でラインを挿通した状態を示す断面図である。左側面図は図４の右側面図と同一形であるため図示省略している。
【００２３】  水中ライト１は、透光性樹脂材料、例えばポリカーボネート等で形成された本体２を有している。図示例の水中ライト１の本体２は、棒状であって、半球面状の両端面２ａ、２ｂを有し、円柱状の胴部２ｃに半球面上の両端面２ａ、２ｂが一体形成されている。本体２は、長手方向に延びる中心軸線Ｘに線対称な立体形状となっている。本明細書において、「透光性」は透明を含む意味として用いている。
【００２４】  本体２内には、図６及び図７に示すように、回路装置３が埋設されている。回路装置３は、リチウムイオン電池等の電池３ａと、電池３ａの両側に配置された回路基板３ｂ、３ｃを備え、それぞれの回路基板３ｂ、３ｃに発光ダイオード３ｅ、３ｆが実装されている。回路装置３は、回路基板３ｂと３ｃとの間を蓄光性フィルムで被覆されていてもよい。また、発光ダイオード３ｅの光を導光する複数本の光ファイバー３ｇが発光ダイオード３ｅから本体２の先端側に向けて円錐台状に配置されている。また、図示されていないが、本体２を形成している樹脂材料中に微小金属箔（ラメ）等が分散されて、光を反射させるようになっている。
【００２５】  回路装置３は、回路装置３の内部に海水が浸入しないように、本体２を形成している樹脂材料により本体２の内部に樹脂封止され、後述の電極３ｈ、３ｉを除き、水中ライト１の外部から絶縁されている。このように回路装置３を樹脂封止することにより、例えば水深千メートル以上の深海であっても水圧に耐えて本体２内での絶縁性を確保することができる。
【００２６】  回路基板３ｂ、３ｃの電気回路を開閉するための一対の電極３ｈ、３ｉが、本体２の表面に露出して設けられている。電極３ｈ、３ｉは、図示例では、本体２の互いに反対側の側面に離隔して其々配置されている。水中ライト１が水中又は海水中に投下されると電極３ｈと電極３ｉとの間に水又は海水が介在することで電池３ａからの電流が回路装置３の電気回路内に流れ、発光ダイオード３ｅ、３ｆが発光する。回路装置３は、タイマーＩＣを含むことができ、発光ダイオード３ｅ、３ｆを自動点滅させるこができる。電池３ａを充電可能な二次電池とし、ワイヤレス充電を可能にする受信コイル（図示せず。）を回路装置３に備えることもできる。
【００２７】  電極３ｈ、３ｉは、本体２の表面からの突起物を無くすため、本体２の表面に形成された一対の凹部３ｊ、３ｋ内において凹部３ｊ、３ｋから突き出さずに露出するように配置されている。一対の凹部３ｊ、３ｋは、胴部２ｃの表面で互いに反対側の側面に形成されている。電極３ｈ、３ｉの周囲を囲む凹部３ｊ、３ｋの深さは、１〜３ｍｍとされており、電極３ｈ、３ｉは、凹部３ｊ、３ｋの底から２ｍｍ以下の高さとされ、電極３ｈ、３ｉが凹部３ｊ、３ｋから突出しないように形成されている。電極３ｈ，３ｉが凹部３ｊ、３ｋから突出しないようにすることで、ラインＬの引っ掛かりを無くすことができる。電極３ｈ、３ｉは、突起状、プレート状、その他の形状とすることもできる。凹部３ｊ、３ｋを形成せずに、電極３ｈ，３ｉを薄いプレート状として表面の凸部を小さくして、ラインＬの引っ掛かりを無くすこともできる。
【００２８】  水中ライト１は、本体２内にバイブレータ４を内蔵することができ、バイブレータ４の駆動回路を回路装置３に組み込み、水中又は海中で電極３ｈ、３ｉ間の導通時にバイブレータ４が作動するように構成することができる。バイブレータ４は、小型振動モータによって振動を発生させるものとすることができる。バイブレータ４を作動させることにより、水中ライト１の本体２に疑似餌（図２１の符号Ｇ参照）を被せた場合に、疑似餌（Ｇ）が振動して、疑似餌に動きが出ることでマグロ等の魚の食いがよくなることが期待できる。
【００２９】  また、水中ライト１は、本体２内に小型の音波発信器５を内蔵することができ、音波発信器５の発振回路を回路装置３に組み込み、水中又は海中で電極３ｈ、３ｉ間の導通時に音波発信器５が作動するように構成することができる。音波発信器５を作動させることにより、水中ライト１を取り付けた仕掛けに掛ける対象魚を捕食するイルカやクジラ等の海獣やサメ等を忌避することができる。イルカ忌避用の音波発信器５の周波数は例えば５０ｋＨｚ〜１２０ｋＨｚであり、クジラ忌避用の音波発信器５の周波数は例えば３ｋＨｚ〜４ｋＨｚである。
【００３０】  本体２には、本体２内を直線状に貫通する第１ライン孔６と第２ライン孔７とが形成されている。第１ライン孔６と第２ライン孔７とは離間して形成されている。第１ライン孔６と第２ライン孔７とは、各々の軸線６ａ、７ａが鈍角の交差角αで交差するように形成されている。図示例において軸線６ａと軸線７ａとの交差角αは１５０°である。交差角αは、鈍角即ち９０°＜α＜１８０°とすることができ、好ましくは１２０°≦α≦１６０°である。交差角αは第１ライン孔６及び第２ライン孔７とラインＬ（図８参照）との間に生じる摩擦抵抗の大きさに影響し、交差角αが大きくなると摩擦抵抗が小さくなり、交差角αが小さくなると摩擦抵抗が大きくなる。摩擦抵抗が大きくなると、第１ライン孔６および第２ライン孔７にかかる負荷が大きくなり、負荷が大きくなり過ぎると本体２が破損する恐れが生じる。
【００３１】  第１ライン孔６は、本体２の長手方向中間部の側面から本体２の一方の端面２ａに貫通し、第２ライン孔７が本体２の長手方向中間部の側面から本体２の他方の端面２ｂに貫通している。第１ライン孔６は、本体２の長手方向中間部の一方の端面２ａ側の側面に開口６ｂを有している。第２ライン孔７は、本体２の長手方向中間部の他方の端面２ｂ側の側面に開口７ｂを有している。第１ライン孔６は、本体２の一方の端面２ａに開口６ｃを有している。第２ライン孔７は、本体２の他方の端面２ｂに開口７ｃを有している。
【００３２】  図示例において、第１ライン孔６の軸線６ａと第２ライン孔７の軸線７ａは、いずれも、本体２の中心軸線Ｘを含む仮想平面内にある。第１ライン孔６および第２ライン孔７は、本体２の長手方向中間部の側面から本体２の端面２ａ、２ｂの中心軸線Ｘ側に向けて延びることにより、本体２の中心軸線Ｘに対して斜めに延びている。
【００３３】  斯かる構成の水中ライト１は、図８に示すように、第１ライン孔６および第２ライン孔７にラインＬが通される。水中ライト１は、従来の様なラインを通すための環や筒のような突起物が無いため、水中ライト１を取り付けた仕掛けを船上から投下する際（投縄）や水中ライト１を取り付けた仕掛けを海中から船上に引き上げる際（揚げ縄）に、ラインＬが突起物に当たったり引っかかったりすることによる従来の不具合を解消することができる。また、従来の様に本体に接続されている環がないので、接続部分からの破損を生じない。
【００３４】  また、第１ライン孔６および第２ライン孔７を本体２の中心軸線Ｘに対して斜めに延びる構成とすることにより、仕掛けに付けられた錘等の荷重によりラインＬにテンションがかかると、第１ライン孔６および第２ライン孔７の其々の内周壁とラインＬとの間の摩擦抵抗が大きくなり、水中ライト１をラインＬに保持させるための他の部材（止めゴム等）が無くても、水中ライト１をラインＬの所望位置に容易に保持させておくことができる。
【００３５】  第１ライン孔６及び第２ライン孔７の対は、図９、図１０の第２実施形態に示すように、２対設けることもできる。第２実施形態は、第１ライン孔６及び第２ライン孔７の対が、２対ある点が、一対である第１実施形態と異なり、その他の構成は第１実施形態と同じである。図９は第２実施形態の水中ライトの中央縦断側面図であり、図１０は図１の平面図である。図９及び図１０に示す例では、中心軸線Ｘに対して線対称に、２本の第１ライン孔６と２本の第２ライン孔７とが設けられている。図９の態様では、図８に示したラインＬの通し方の他に、図９に示すようにラインＬを本体２の下端で折り返して通すとともに、本体２の上下付近で通した圧着スリーブＳ１、Ｓ２を加締めて折り返した２本のラインＬを圧着固定し、下方の圧着スリーブＳ２の下方にラインＬで環Ｌｒを形成し、環Ｌｒに太さの異なる別のライン（図示せず）を連結することもできる。
【００３６】  次に、本発明に係る水中ライトの第３実施形態について、図１１〜図１３を参照して説明する。図１１は、第３実施形態の水中ライトの中央縦断面図、図１２は平面図、図１３は正面図を示す。第３実施形態の水中ライト１は、第１ライン孔６上および第２ライン孔７上に沿って延びる流線形の第１膨出部８ａ及び第２膨出部８ｂが形成されている点が上記第２実施形態と相違し、その他の構成は上記第２実施形態と同様である。
【００３７】  第３実施形態の水中ライト１は、第１膨出部８８ａ及び第２膨出部８ｂを設けたことにより、第１膨出部８ａで第１ライン孔６を覆うとともに第２膨出部８ｂで第２ライン孔７を覆い、第１ライン孔６および第２ライン孔７に通したラインに大きな張力がかかっても、張力に対抗し得る所望の強度を得ることができる。また、第１膨出部８ａ及び第２膨出部８ｂを設けることにより、第１ライン孔６の軸線６ａと第２ライン孔７の軸線７ａの交差角αを上記第１実施形態の交差角αより大きくすることが可能となり、また、本体２の全長を短くすることも可能となる。
【００３８】  次に、本発明に係る水中ライトの第４実施形態について、図１４〜図２１を参照して説明する。第４実施形態の水中ライト１は、本体２が、円柱状の胴部２ｃと、胴部２ｃの両側に一体的に接続された第１球状部２ｍ、第２球状部２ｎとを備えている。第１球状部２ｍ、第２球状部２ｎの外径Ｄ１は、胴部２ｃの直径Ｄ２より大きい。
【００３９】  第１ライン孔６が一方の第１球状部２ｍを貫通するように形成され、第２ライン孔７が他方の第２球状部２ｎを貫通するように形成されている。第１ライン孔６は、一方の第１球状部２ｍの胴部２ｃとの接続側端部から一方の第１球状部２ｍの先端部を貫通する。第２ライン孔７は、他方の第２球状部２ｎの胴部２ｃとの接続側端部から他方の第２球状部２ｎの先端部を貫通する。第１ライン孔６は、一方の第１球状部２ｍの胴部２ｃとの接続側端部に開口６ｂを有し、一方の第１球状部２ｍの先端部に開口６ｃを有する。第２ライン孔７は、他方の第２球状部２ｎの胴部２ｃとの接続側端部に開口７ｂを有し、他方の第２球状部２ｎの先端部に開口７ｃを有する。
【００４０】  第４実施形態の水中ライト１は、第１球状部２ｍ、第２球状部２ｎが胴部２ｃより大径で肉厚であるため、上記第３実施形態と同様に、第１ライン孔６および第２ライン孔７を補強することができる。また、上記第３実施形態と同様に、第１ライン孔６の軸線６ａと第２ライン孔７の軸線７ａの交差角αを上記第１実施形態の交差角αより大きくすることができ、また、全長を短縮することができる。
【００４１】  また、第４実施形態の水中ライト１において、電極３ｈ、３ｉは、本体２の長手方向端面から離れた位置に設けられており、本体２の表面に形成され電極３ｈ、３ｉを収容している凹部３ｊ、３ｋは、電極３ｈ，３ｉの位置から本体２の端面に向けて延びる溝状に形成されている。凹部３ｊ、３ｋは、図示例においては胴部２ｃの端部（胴部２ｃと第２球状部２ｎとの境界付近）から、本体２の端部、図示例においては一方の第２球状部２ｎの端面に向けて、第２球状部２ｎを横切るようにして延びている。この溝状の凹部３ｊ、３ｋは、図２１に仮想線で示すような透明又は半透明のゴム製の疑似餌Ｇを水中ライト１に被せて使用する場合には、電極３ｈ、３ｉへの水路となって水又は海水が電極３ｈ、３ｉに接触することを確保する。
【００４２】  次に、本発明に係る水中ライトの第５実施形態について図２２〜図２３を参照して説明する。
【００４３】  第５実施形態の水中ライト１は、第１ライン孔６と第２ライン孔７との間でラインを収容するためのライン溝９が形成されている点が上記第１実施形態と相違し、その他の構成は上記第１実施形態と同様である。詳細には、円柱状の胴部２ｃの側面に、ライン溝９が形成されている。
【００４４】  第５実施形態の水中ライト１は、第１ライン孔６と第２ライン孔７との間に、ラインを収容するためのライン溝９を設けることにより、上記第２実施形態や第３実施形態のように胴部２ｃより大径の部分を形成せずに、第１実施形態のものよりも交差角αを大きくすることが可能となる。
【００４５】  本発明は上記実施形態に限定解釈されず、本発明の趣旨を逸脱しない範囲内において種々の変更が可能である。上記実施形態では、棒状の本体を例示したが、例えば、球状、楕円体等の他の形状とすることもできる。また、第４実施形態以外の形態においても、第４実施形態のように凹部３ｊを溝状に形成することができる。さらに、第５実施形態のライン溝９は、上記第１〜第４実施形態においても設けることができる。また、第３実施態様では、本体の長さ方向の一方端部に第１膨出部が設けられて他方端部に第２膨出部設けられている例を示したが、第１膨出部のみを設けることもできる。また、第４実施形態では、胴部の両端部に第１球状部及び第２球状部を設ける例を示したが、第１球状部又は第２球状部のいずれか一方のみを設けることもできる。
【符号の説明】
【００４６】１  水中ライト２  本体２ｃ  胴部２ｍ  第１球状部２ｎ  第２球状部３  回路装置３ａ  電池３ｅ、３ｆ  発光ダイオード３ｈ、３ｉ  電極３ｊ、３ｋ  凹部４  バイブレータ５  音波発信器６  第１ライン孔６ａ  軸線７  第２ライン孔７ａ  軸線８ａ  第１膨出部８ｂ  第２膨出部９  ライン溝
【図１】
2020100732.tif 000003
【図２】
2020100732.tif 000004
【図３】
2020100732.tif 000005
【図４】
2020100732.tif 000006
【図５】
2020100732.tif 000007
【図６】
2020100732.tif 000008
【図７】
2020100732.tif 000009
【図８】
2020100732.tif 000010
【図９】
2020100732.tif 000011
【図１０】
2020100732.tif 000012
【図１１】
2020100732.tif 000013
【図１２】
2020100732.tif 000014
【図１３】
2020100732.tif 000015
【図１４】
2020100732.tif 000016
【図１５】
2020100732.tif 000017
【図１６】
2020100732.tif 000018
【図１７】
2020100732.tif 000019
【図１８】
2020100732.tif 000020
【図１９】
2020100732.tif 000021
【図２０】
2020100732.tif 000022
【図２１】
2020100732.tif 000023
【図２２】
2020100732.tif 000024
【図２３】
2020100732.tif 000025
【国際調査報告】
2020100732.tif 000026
2020100732.tif 000027
2020100732.tif 000028
2020100732.tif 000029